(57)【要約】      （修正有）【課題】光学素子のコバ外周側面部で反射する不要光によって生じるゴースト、フレア等の発生を抑制し、クリアな画質を再現することができる光学素子、および撮像レンズを提供する。【解決手段】光学有効部１０１と、前記光学有効部１０１の周囲に形成されたコバ部１０２を有する光学素子１００であって、前記コバ部１０２の外周側面部１０３に凹凸部２００を形成した光学素子１００、および当該光学素子１００を撮像レンズに用いた。【選択図】図１
2019203992.tif 000002
【特許請求の範囲】
【請求項１】
光学有効部と、前記光学有効部の周囲に形成されたコバ部を有する光学素子であって、前記コバ部の外周側面部に凹凸部を備えたことを特徴とする光学素子。
【請求項２】
前記凹凸部は、凹凸が同一単位形状の繰り返しを複数含み、その繰り返し数が１０以上であることを特徴とする請求項１記載の光学素子。
【請求項３】
前記凹凸部は、前記光学素子の光軸から前記外周側面部に向かう放射方向に突出しており、突出高さが０．０１ｍｍ以上であることを特徴とする請求項１記載の光学素子。
【請求項４】
前記凹凸部は、前記凹凸部の凹部または凸部が前記光軸の方向に延伸して形成され、前記延伸の方向と前記光軸とが平行に形成されていることを特徴とする請求項１記載の光学素子。
【請求項５】
前記凹凸部は、前記凹凸部の凹部または凸部が前記光軸の方向に延伸して形成され、前記延伸の方向が前記光軸に対して角度をなすように形成されていることを特徴とする請求項１記載の光学素子。
【請求項６】
前記凹凸部は、前記外周側面部に沿って連続的に形成されていることを特徴とする請求項１記載の光学素子
【請求項７】
前記凹凸部は、凹部及び凸部において円弧形状に形成されており、前期凹部の円弧及び前期凸部の円弧が、それぞれＲ０．０３ｍｍ以上であることを特徴とする請求項１記載の光学素子。
【請求項８】
請求項１から請求項６の何れか一項に記載の光学素子を備えたことを特徴とする撮像レンズ。
【発明の詳細な説明】
【技術分野】
【０００１】
本発明は、撮像装置に使用される光学素子および当該光学素子を用いた撮像レンズに関する。
【背景技術】
【０００２】
近年、情報端末機器を始めとする様々な商品にカメラ機能が搭載されるようになった。
【０００３】
このような機器に搭載されるカメラには、ゴーストやフレアが抑制されたクリアな画像が撮影できる撮像レンズが求められている。ゴーストやフレアを抑制するためには、結像に寄与しない不要光の抑制が重要になる。
【０００４】
従来、不要光を抑制する技術としては、以下の特許文献１および特許文献２に開示されている。
【０００５】
特許文献１には、撮影光学系に組み込まれ、撮影光軸を中心として撮影に寄与する有効光束を通過させる有効径エリアと、この有効径エリアを囲む有効径外エリアと、この有効径外エリアを囲む外周面とを備えた光学素子であって、物体側の面から入射し、像面側の面で反射して前記外周面に入射し、その外周面で反射した光線が像面に入射しないように、前記外周面の厚み方向の少なくとも一部、または周方向の少なくとも一部を、撮影光軸に対して傾きをもつ非平行面にしたものが開示されている。
【０００６】
特許文献２には、複数の光学素子を備え、物体の光学像を結像する撮像光学系と、前記撮像光学系を保持する撮像光学系保持部とを備え、前記複数の光学素子のうちの少なくとも１つは、物体からの光束を通過させる有効領域部と、光軸と直交する直交方向において前記有効領域部を囲むように設けられた非有効領域部と、前記直交方向における前記有効領域部と前記非有効領域部との間に設けられ、互いの光軸を一致させるように、隣接する光学素子と嵌合する嵌合凹部または嵌合凸部と、前記非有効領域部の外周側面に設けられ、光を散乱する散乱部を備えたことを特徴とするレンズユニットが開示されている。散乱部とは、「この散乱部は、前記非有効領域部の前記外周側面を粗面化したシボ層である。このシボ層における表面は、表面粗さが十点平均粗さで約１０μｍ以下であり、好ましくは、約４〜６μｍである。このような表面粗さの表面は、例えば、粗面の押し型としてアヤマダイ株式会社の＃１００３等を用いることで形成される。」（特許文献２の［００３３］段落参照）と認識されている。
【先行技術文献】
【特許文献】
【０００７】
【特許文献１】特開２０１０−１６４７５５号公報
【特許文献２】特開２０１５−９０４８４号公報
【発明の概要】
【発明が解決しようとする課題】
【０００８】
特許文献１に記載の光学素子は、外周面の厚み方向の少なくとも一部、または周方向の少なくとも一部を、撮影光軸に対して傾きをもつ非平行面に形成することで反射光を撮像素子側に向かわないように制御するのが目的である。しかしながら、このような光学素子の場合は、反射光のパワーを減衰する効果は得られないため、撮像レンズ内で発生する不要光の抑制に対して不十分である。
【０００９】
特許文献２に記載の撮像レンズは、特許文献１に記載の光学素子の構成に加えて、外形側面部にシボ層を形成して光を散乱させることで、反射光のパワーを減衰させるものである。しかし、シボ層を形成するだけでは結像に寄与しない不要光の抑制は不十分である。
【００１０】
本発明は、上述した課題に鑑みてなされたものであり、光学素子の外周側面部に十分に反射光を抑制するための形状を形成することで、結像に寄与しない不要光を十分に抑制させること、およびその光学素子を用いた撮像レンズを提供することを目的とする。
【００１１】
上記の目的を達成するため、本発明に係る光学素子は、光学有効部と、前記光学有効部
の周囲に形成されたコバ部を有する光学素子であって、前記コバ部の外周側面部に凹凸部を形成した。
【００１２】
上記の目的を達成するため、本発明に係る撮像レンズは、以下のような構成を有する光学素子を含む。当該光学素子は、光学有効部と、前記光学有効部の周囲に形成されたコバ部を有する光学素子であって、前記コバ部の外周側面部に複数の凹凸部を形成したものである。
【発明の効果】
【００１３】
本発明によれば、光学素子の内部から外周側面部へ入射して反射する光のパワーを複数の凹凸部によって十分に減衰させることができるため、ゴーストやフレアを効果的に抑制することができる。
【図面の簡単な説明】
【００１４】
【図１】本発明の一実施形態に係る光学素子を示す模式図である。
【図２】本発明の一実施形態に係る光学素子の断面を示す模式図である。
【図３】外周側面部の凹凸部での不要光の振る舞いを示す模式図である。
【図４】図１の一部（１０３）を拡大した凹凸部の一実施形態を示す図である。
【図５】本発明の光学素子を適用した撮像レンズ構造の一実施形態を示した断面図である。
【図６】従来の撮像レンズ内部に発生した不要光を示す図（ａ）、および図５の撮像レンズに本発明の光学素子を適用した一実施形態を示す図（ｂ）である。
【図７】従来の撮像レンズ内部に発生した不要光を示す図（ａ）、および図５の撮像レンズに本発明の光学素子を適用した一実施形態を示す図（ｂ）である。
【００１５】
本発明による光学素子は、光学有効部の周囲に形成されたコバ部の外周側面部に凹凸部を形成することによって、光学素子の外周側面部で反射する不要光を減衰させるものである。
【００１６】
本発明の実施形態について、図１から図７を参照して詳細に説明する。
【００１７】
図１は、本発明の光学素子の一実施形態を示している。
【００１８】
図１に示すように、光学素子１００は、有効光線が入射する光学有効部１０１と、光学有効部１０１の周囲にコバ部１０２が一体に形成されている。コバ部１０２の外周側面部１０３には、複数の凹凸部２００が形成されている。
【００１９】
図２は、図１の光学素子１００の断面図（Ａ−Ａ’）を示している。
【００２０】
図２において、外周側面部１０３に形成された凹凸部２００は、光学素子１００の光軸Ｘの方向に平行に延伸して形成されている。なお、凹凸部２００は、光軸Ｘに対して角度をなすように延伸して形成してもよい。
【００２１】
図３は、外周側面部１０３に形成された凹凸部２００に入射した光線ＳＬの振る舞いを示している。
【００２２】
図３に示すように、光線ＳＬが外周側面部１０３に形成された凹凸部２００に入射すると、光線ＳＬは凹凸部２００で散乱光になって光のパワーは減衰する。
【００２３】
ここで、凹凸部２００の詳細な形状は、ゴーストシミュレーションソフトを用いることで、光線ＳＬの反射方向を高精度に制御可能な形状に設定することができる。すなわち、設計段階でゴースト・フレアを抑制するための解析が可能である。
【００２４】
従来のような、撮像レンズを組み込んだ後にゴースト・フレアの発生を評価して、原因分析を行い、設計にフィードバックするという、トライ・アンド・エラーを抑制することができる。
【００２５】
また、ゴースト・フレアの抑制に対しては、凹凸形状によって光を散乱させたほうが、シボ層のみを形成するより高い効果が得られる。
【００２６】
したがって、外周側面部１０３に形成する凹凸部２００の面に、シボ層を形成することが望ましい。
【００２７】
図４は、凹凸部２００の形状に関する一実施形態を示している。本実施形態は、凹凸部２００の高さＨを０．０６５ｍｍ、凸側のエッジ部Ｅ１のＲの大きさをＲ０．０５ｍｍ、凹側のエッジ部Ｅ２のＲの大きさをＲ０．１５ｍｍとして、凹凸形状の同一単位形状の繰り返し数を７２（光軸を中心としたピッチＰを５°）として、コバ部外周の全周に連続的に形成した例である。
【００２８】
なお、凹凸部２００の形状は、上述した数値に限定させるものではない。凹凸部２００の高さＨは、０．０１ｍｍ以上、凸側のエッジ部Ｅ１のＲの大きさは、Ｒ０．０３ｍｍ以上、凹側のエッジ部Ｅ２のＲの大きさは、Ｒ０．０３ｍｍ以上であることが望ましく、凹凸形状の同一単位形状の繰り返し数は１０以上（光軸を中心としたピッチＰを３６°以下）として、コバ部外周の必要な部分に部分的に形成してもよい。
【００２９】
図５は、本発明の光学素子を６枚の光学素子で構成された撮像レンズ３００に適用した一実施形態を示している。本実施形態では、６枚の光学素子のうち、１枚に本発明の光学素子を適用している。
【００３０】
図５に示すように、撮像レンズ３００は、バレル３０２の内部に第１レンズＬ１、第２レンズＬ２、第３レンズＬ３、第４レンズＬ４、第５レンズＬ５、第６レンズＬ６、後方遮光リング３０４を被写体側（図上方）から撮像素子ＩＭＧ側（図下方）に向かって順に配置されて構成されている。
【００３１】
また、第１レンズＬ１と第２レンズＬ２の間、第２レンズＬ２と第３レンズＬ３の間、第３レンズＬ３と第４レンズＬ４の間、第４レンズＬ４と第５レンズＬ５の間、および第５レンズＬ５と第６レンズＬ６との間には、遮光板３０３が配置されている。
【００３２】
後方遮光リング３０４は、第１レンズＬ１から第６レンズＬ６を光軸Ｘ方向に固定する部材であり、バレル３０２の内周部に、酢酸メチル等の溶剤を用いて溶着固定されている。なお、後方遮光リング３０４のバレル３０２への固定方法は、溶着固定に限らず、接着や圧入、またはそれらの組み合わせを採用してもよい。
【００３３】
また、それぞれの光学素子を形成するレンズの材料は、シクロオレフィンポリマーやポリカーボネート等の光学用樹脂であり、それぞれの光学素子は、射出成形で形成されている。
【００３４】
撮像レンズ３００は、例えば携帯電話やスマートフォンに搭載される小型の撮像レンズに適用される。撮像レンズ３００の撮像素子ＩＭＧ側には、赤外線をカットするためのフィルタＩＲが配置され、フィルタＩＲの次にＣＣＤセンサーやＣ−ＭＯＳセンサーの撮像素子ＩＭＧが配置され、撮像レンズ３００とフィルタＩＲと撮像素子ＩＭＧとをパッケージしてカメラモジュールが構成される。
【００３５】
それぞれのレンズは、光学有効部（レンズ部）と光学有効部の周囲にコバ部を有している。それぞれのレンズのコバ部には、隣り合うレンズと嵌合させるための突起部が形成されている。突起部は、円錐状の斜面と当該斜面から連接する平面部が形成された、略台形形状になっている。
【００３６】
次に、撮像レンズ３００の構造について説明する。
【００３７】
第１レンズＬ１のコバの平面部Ｌ１ａを、バレル３０２の内面に形成された光軸Ｘに垂直な受け面３０２ａに当接させる。これにより、第１レンズＬ１の光軸Ｘ方向の位置が決定される。
【００３８】
また、第１レンズＬ１の外形側面部Ｌ１ｃが、バレル３０２の内径部３０２ｂに嵌合する。これにより、双方の芯出しがなされ、光軸Ｘ上に一致した状態になる。
【００３９】
次に、第１レンズＬ１の斜面Ｌ１ｂが、第２レンズＬ２の斜面Ｌ２ａと嵌合することで、双方の芯出しがなされ、光軸Ｘ上に一致した状態になる。
【００４０】
次に、第２レンズＬ２の斜面Ｌ２ｂが、第３レンズＬ３の斜面Ｌ３ａと嵌合することで、双方の芯出しがなされ、光軸Ｘ上に一致した状態になる。
【００４１】
次に、第３レンズＬ３の斜面Ｌ３ｂが、第４レンズＬ４の斜面Ｌ４ａと嵌合することで、双方の芯出しがなされ、光軸Ｘ上に一致した状態になる。
【００４２】
次に、第５レンズＬ５の斜面５ｂが、第６レンズＬ６の斜面Ｌ６ａと嵌合することで、双方の芯出しがなされ、光軸Ｘ上に一致した状態になる。
【００４３】
第６レンズＬ６の外形側面Ｌ６ｃが、バレル３０２の内径部３０２ｃと嵌合することで双方の芯出しがなされ、光軸Ｘ上に一致した状態になる。
【００４４】
上述した構造にすることで、レンズ組み品３０１は、第１レンズＬ１から第６レンズＬ６の中心が光軸Ｘ上に一致した状態になり、かつバレル３０２の中心が光軸Ｘ上に一致した状態になる。
【００４５】
また、第１レンズＬ１から第４レンズＬ４、および第５レンズＬ５と第６レンズＬ６に形成した、コバ部の突起部の斜面に連接する平面部は、隣り合うレンズのコバ部の平面部に当接させている。これにより、それぞれのレンズの間隔が決定されている。なお、第４レンズＬ４と第５レンズＬ５の間隔は、遮光板３０３の厚みによって決定されている。
【００４６】
従って、レンズ組み品３０１は、それぞれのレンズを重ね合わせるだけでそれぞれの中心が光軸Ｘに一致した状態になるとともに、それぞれのレンズ間隔も決定された状態になる。
【００４７】
なお、それぞれのレンズの間に配置される遮光板３０３は、中央に開口部を有する平板で円環状の遮光部材からなっている。
【００４８】
遮光板３０３の開口部の径は、撮像レンズ３００に入射する有効光線の、光軸Ｘ上に結像する光束Ｂ０、および最大画角から入射して最大像高に結像する光束Ｂ１の通過を妨げない最小の径に設定され、光束Ｂ１よりも外側から入射する光線を遮光する。すなわち、遮光板３０３は、有効光線以外の不要光を遮光するためのものである。
【００４９】
ここで、図５は、撮像レンズ３００を構成するレンズのうち、第５レンズＬ５に、本発明の光学素子を適用した実施形態である。
【００５０】
次に、図５の実施形態において、本発明の光学素子がゴーストやフレアの原因になる反射光のパワーを減衰させる様子を説明する。
【００５１】
図６は、従来の撮像レンズ３００’内部に不要光が発生したときの状態（図６（ａ））と、図５の撮像レンズ３００が当該不要光を抑制した状態（図６（ｂ））を模式的に表わしたものである。
【００５２】
図６（ａ）は、撮像レンズ３００’を通過した光線ＳＬが、フィルタＩＲの表面で反射して第６レンズＬ６のコバ部に入り、第６レンズＬ６と第５レンズＬ５の嵌合部を通過したあと、第５レンズＬ５の外周面で反射し、更に第５レンズＬ５の有効径部で全反射し、フィルタＩＲを通過して撮像素子ＩＭＧに到達する様子を表わしている。
【００５３】
撮像素子ＩＭＧに到達した光線ＳＬは、ゴーストやフレアになって撮像画に現れるため、画質を悪化させる原因になる。
【００５４】
図６（ｂ）は、図６（ａ）に示した撮像レンズ３００’の第５レンズＬ５に、本発明の光学素子を適用した例である。すなわち、第５レンズＬ５の外周側面部１０３に、凹凸部２００を形成した例である。
【００５５】
図６（ｂ）に示すように、撮像レンズ３００を通過した光線ＳＬが、フィルタＩＲの表面で反射して第６レンズＬ６のコバ部に入り、第６レンズＬ６と第５レンズＬ５の嵌合部を通過したあと、第５レンズＬ５の外周面１０３に入射するが、外周側面部１０３に形成した凹凸部２００によって、光線ＳＬが散乱する。これにより、第５レンズＬ５の外周面に入射して反射する光のパワーが減衰する。
【００５６】
第５レンズＬ５の外周面の凹凸部２００で散乱した光線ＳＬは、光のパワーが減衰されているので、第５レンズＬ５の有効径部で全反射し、フィルタＩＲを通過して撮像素子ＩＭＧに到達するようなことはない。したがって、ゴースト・フレアの発生を効果的に抑制する。
【００５７】
図７は、従来の撮像レンズ３００’内部に不要光ＳＬが発生したときの状態（図７（ａ））と、図５の撮像レンズ３００が当該不要光を抑制した状態（図７（ｂ））を模式的に表わしたものである。
【００５８】
図７（ａ）は、不要光ＳＬが撮像レンズ３００’の第５レンズＬ５のコバ面で反射した後、第５レンズＬ５の外周側面部１０３で反射し、第５レンズＬ５の有効径部で全反射し、フィルタＩＲを通過して撮像素子ＩＭＧに到達する様子を表わしている。撮像素子ＩＭＧに到達した光線ＳＬは、ゴーストやフレアになって撮像画に現れるため、画質を悪化させる原因になる。
【００５９】
図７（ｂ）は、図７（ａ）に示した撮像レンズ３００’の第５レンズＬ５に、本発明の光学素子を適用した例である。すなわち、第５レンズＬ５の外周側面部１０３に、凹凸部２００を形成した例である。
【００６０】
図７（ｂ）に示すように、不要光ＳＬが撮像レンズ３００の第５レンズＬ５のコバ面で反射した後、第５レンズＬ５の外周側面部１０３に入射するが、外周側面部１０３に形成した凹凸部２００によって、光線ＳＬが散乱する。これにより、第５レンズＬ５の外周面に入射して反射する光のパワーが減衰する。
【００６１】
第５レンズＬ５の外周面の凹凸部２００で散乱した不要光ＳＬは、光のパワーが減衰されているので、第５レンズＬ５の有効径部で全反射し、フィルタＩＲを通過して撮像素子ＩＭＧに到達するようなことはない。したがって、ゴースト・フレアの発生を効果的に抑制する。
【００６２】
以上説明したように、本発明に係る光学素子、および当該光学素子を使用した撮像レンズは、光学有効部の周囲に形成されたコバの外形側面部に不要光を抑制する凹凸部を形成することで、効果的にゴーストやフレアの発生を抑制することができる。
【００６３】
なお、上記実施形態では、６枚で構成される撮像レンズの第５レンズに本発明の光学素子を適用した例を示したが、これに限定されるものではない。光学素子の外周部における光の反射を抑制することが必要な場所に適宜適用すればよい。また、複数枚で構成される撮像レンズの、複数のレンズに適用しても良いし、１枚の光学素子で構成される撮像レンズにも応用が可能である。
【００６４】
また、当業者であれば上述の実施形態を変更および／または改良することは容易になし得ることである。したがって、当業者が実施する変更形態または改良形態が、請求の範囲に記載された請求項の権利範囲を離脱するレベルのものでない限り、当該変更形態または当該改良形態は、当該請求項の権利範囲に包括される。
【産業上の利用可能性】
【００６５】
本発明により、光学素子の内部の反射を効果的に抑制することが可能になり、高い画質を要求される撮像装置に適用した場合、光学性能、品質の向上を図ることができる。
【符号の説明】
【００６６】
１００  光学素子
１０１  光学有効部（レンズ部）
１０２  コバ部
１０３  外形側面部
２００  凹凸部
３００、３００’  撮像レンズ
３０１  レンズ組み品
３０２  バレル
３０３  遮光板
３０４  後方遮光リング
Ｌ１  第１レンズ
Ｌ２  第２レンズ
Ｌ３  第３レンズ
Ｌ４  第４レンズ
Ｌ５  第５レンズ
Ｌ６  第６レンズ
Ｌ１ｂ、Ｌ２ａ、Ｌ２ｂ、Ｌ３ａ、Ｌ３ｂ、Ｌ４ａ、Ｌ５ｂ、Ｌ６ａ  レンズ嵌合部
Ｌ１ａ、Ｌ１ｃ、Ｌ６ｃ、３０２ａ、３０２ｂ、３０３ｃ  バレル嵌合部
Ｂ０  光軸上の有効光線束
Ｂ１  最大像高の有効光線束
ＳＬ  光線、不要光
Ｘ  光軸
ＩＲ  フィルタ
ＩＭＧ  撮像素子
【図１】
2019203992.tif 000003
【図２】
2019203992.tif 000004
【図３】
2019203992.tif 000005
【図４】
2019203992.tif 000006
【図５】
2019203992.tif 000007
【図６】
2019203992.tif 000008
【図７】
2019203992.tif 000009